Podtech/llm-jp-corpus-v4-ja_patent huggingface dataset:
(57)【要約】【課題】  製茶工程において茶葉に含まれる成分破損を減少させ，飲用或いは食用時に栄養量及びビタミン類の豊富な更には薬効作用を失わない茶葉製品を提供する。【解決手段】  製茶工程における茶葉への加熱温度は各機器によって異なるが，特に高温度（４００℃前後）の熱を加える精揉工程はビタミンＣの破損を促進させるため，一連の製茶工程から精揉工程を省略する。【選択図】  図１
2005192430.tif 000002
【特許請求の範囲】
【請求項１】
生茶葉を蒸熱処理工程から乾燥処理工程までの一連の製茶工程において精揉工程を省略することを特徴とする製茶方法。
【発明の詳細な説明】
【技術分野】
【０００１】本発明は，製茶方法に関するものである。
【背景技術】
【０００２】  従来，製茶方法には，粉末の緑茶製品を製茶する方法又は滲出液用緑茶を製茶する方法等多種類の製茶方法があった。
【発明の開示】
【発明が解決しようとする課題】
【０００３】  しかしながら，いずれの製茶方法であっても，いかにして香り並びに味覚の向上を図るかが最重要視の課題となっている。このため生茶葉に含まれるビタミンＣをはじめ含有されている他のビタミン類及び栄養素並びに薬効（以下，成分とする。）についての配慮がまったくなされず，薬効の目的で渡来してきた喫茶本来の目的が失われつつある。  本発明はこの問題を解決するためになされたものである。
【課題を解決するための手段】
【０００４】  生茶葉を製茶するとき蒸熱処理工程から乾燥処理工程までの６工程からなる製茶工程において精揉工程を省略して５工程とする。
【発明の効果】
【０００５】  生茶葉に含まれている成分，特にビタミンＣについては製茶工程において加える高熱によって破壊が著しく，製茶技術の分野において現在一般に実施されている製茶方法では，そのほとんど消滅しているといっても過言ではない。  本発明の製茶方法を実施する場合，成分のほとんどは減少することなく生茶葉そのままの成分を維持しているため，成分が豊富な茶葉を喫茶することになる。  したがって，昨今流行の食べるお茶として茶葉，茎などすべてを粉末等にして食べるための製法としては，精揉工程はまったく必要がなくこれを省略すれば，茶葉に豊富に含まれている成分は消滅することなく効果的に摂取することができる。
【発明を実施するための最良の形態】
【０００７】  以下，実施例に基づいて本発明の実施の理由及び形態について説明する。  図１は従来から生茶葉を製茶する一般的な工程であって，各工程名を表示した枠を工程順を矢印にて示したものである。  蒸熱（１）工程においては９８℃〜１００℃の蒸気を１５秒〜３０秒間茶葉に吹きかけながら蒸す。  粗揉（２）工程においては，１５０℃前後の乾熱風を３０分前後掛けながら揉む工程である。この工程にて茶葉に含有されている水分が約４５％除去される。  揉捻（３）工程においては，従来の「手もみ」工程であって，茶葉の内部と端部とに異なった割合で含有されている水分を平均化させる工程である。  中揉（４）工程においては，約１５０℃の乾熱風を２０分程度かけてさらに乾燥させる工程である。  精揉（５）工程においては，最高４００℃の温度で焙煎する。製茶工程を経た茶葉を水分にて浸出して飲むとき，茶本来の香ばしさ，味わいを高めるために行われる工程であるが，この工程を経ることによって茶葉の持つ香ばしさ，味わい成分はある程度増すが，茶葉の持つ成分は，高熱によってその多くが消滅してしまうことになる。  乾燥（５）工程については，最終的な工程であって，茶葉の品質維持，保管に適した状態を維持するためのものである。  図２は，本発明の製茶工程を示すものであって，図１における精揉（５）工程を省略し  たものである。  以上の説明でもわかるように，各工程において茶葉は高温の蒸気並びに乾熱風の中を通過していることがわかる。各工程は１００℃〜１５０℃程度の高温であるが，特に精揉（５）工程では４００℃の高温に曝される。このため，この精揉（５）工程において茶葉の成分は減少或いは消滅してしまうことになる。したがって，茶葉の成分の含有量程度或いはその品質についてこの精揉（５）工程がその左右を決めることになるのであるが，製茶工程全体のなかにあって精揉（５）工程の効果は，大きな役割を果たしているものとは考えられず，むしろ逆効果を発生させているようにも考えられる。  本発明は，このようにその役割が効果的でないにもかかわらず，従来の慣習で使用を続け，飲料用のものから食用にその使用目的が変化拡大しつつある現在の食文化，食生活の対応に適さない精揉（５）工程を省略することによって，茶葉に含有される成分の消失を防ぎ，高品質な茶葉の精製を目的としながら併せて製茶工程における省資源，省労力を図り経済化を目的とするものである。
【図面の簡単な説明】
【０００８】
【図１】図１については従来の製茶工程を時系列的に表示した系統概念図である。
【図２】図２については本発明の製茶工程を時系列的に表示した系統概念図である。
【符号の説明】
【０００９】    １        蒸熱工程    ２        粗揉工程    ３        揉捻工程    ４        中揉工程    ５        精揉工程    ６        乾燥工程
【図１】
2005192430.tif 000003
【図２】
2005192430.tif 000004
(57)【要約】      （修正有）【課題】ペットボトルを再利用して、テラス、コンクリートの上でも野菜、草花の栽培ができるペットボトル栽培器を提供する。【解決手段】本ペットボトル栽培器は、台形枠１と、その上部のペットボトルの胴部を支える上部格子枠２と、下部のペットボトルの首部を受ける下部格子枠３とで構成される。この下部格子枠は取り外すことができ、フック４は外側に広がっていて重ねることができる。台形枠と上部格子枠とは一体化されていて、重ねてダンボールに収納できる。【選択図】図１
2005192429.tif 000002
【特許請求の範囲】
【請求項１】
台形枠１に上部格子枠２を取り付け下部にも格子枠３を設け、格子枠３が図２のように取り外せ、本体が重ねられ、下部の格子枠３のフック４は外側に広がり重ねることができ、ダンボール箱にコンパクトに収容できるペットボトル栽培器
【発明の詳細な説明】
【発明の詳細な説明】
【技術分野】
【０００１】この発明は空のペットボトルを再利用し野菜、草花を栽培する架台である。
【背景技術】
【０００２】木製等の自作品はあるが量産されておらず、見られない。
【発明の開示】
【発明が解決しようとする課題】
【０００３】従来のものは次のような欠点があった。
量産化されていないため製造では価格、錆止め等が、流通では重量、体積等が考慮されてない
【課題を解決するための手段】
【０００４】材料は安価なスチールワイヤーを使用、塗装は錆に強い合成樹脂コーティングを採用、輸送効率を考え図の下段の部分は取り外し、本体が重ねられるようにする。
【発明の効果】
【０００５】このペットボトルで栽培する方法は体積に対して表面積が比較的少なく、水やりが少なくてすみ、栽培が容易である。
日当たりの良い所へ移動も容易である。
合成樹脂コーティングは錆に強い。
野菜、草花の栽培が架台のスペースさえあればできる。
このペットボトル栽培器を使用すれば野菜、草花の位置はコンクリート、地面より上３５ｃｍ前後となり温度変化を受けにくくなる。
少ない用土で繰り返し栽培でき、ペットボトルは再利用である。
種まきの日にちをずらせば収穫の楽しみが増す。
下部格子枠を取り外し、本体を重ね、梱包体積が少なくなり輸送効率が良くなる。
【発明を実施するための最良の形態】
【０００６】このペットボトル栽培器はスチールワイヤーで作る、台形の枠１とペットボトルを支える上部格子枠２を図１のように一体化し、ペットボトルの重量を支える下部格子枠３を設け、下部格子枠３は取り外せ本体は重ねることができ、はずした下部格子枠３のフック４は外側に広がっており重ねることができ、塗装は合成樹脂コーティングでダンボールに入れる場合は本体を重ねて入れ、その上にはずした下部格子枠３を重ねて入れる。
【実施例】
【０００７】図１のペットボトル栽培器では１．５Ｌ又は２Ｌが８本使用できる。ペットボトルの底から３〜５ｃｍくらいの所で水平に切り取り、ペットボトルをペットボトル枠５に口を下にして差込、下部格子枠３のペットボトル受け６で受ける、ペットボトルには軽石８を三分の一ほど入れその上にプランター用の培養土１０を入れ、種子９をまき、覆土し水をやり芽が出るのを待つ、このとき水があふれないように上部２ｃｍのスペース７つくる。
ボトルのふたは水抜きに使用する。
簡易なビニール温室を併用すれば栽培期間を長くすることができ、地域によっては年間栽培が可能である。
【図面の簡単な説明】
【図１】本発明の斜視図
【図２】下部格子枠
【図３】栽培例
【符号の説明】
１は台形枠  ２は上部格子枠  ３は下部格子枠  ４はフック  ５はペットボトル枠  ６はペットボトル受け  ７はスペース  ８は覆土  ９は種子  １０は培養土  １１は軽石
【図１】
2005192429.tif 000003
【図２】
2005192429.tif 000004
【図３】
2005192429.tif 000005
(57)【要約】【課題】  古くから親しまれている麩は、消化性に優れ、貴重な蛋白源として食されてきたが、昨今、日本人の食生活も多様になり、欧米食（肉類）を多く食すようになった。その為、蛋白質以外の栄養を含んだ麩が求められていた。【解決手段】  麩から蛋白質以外の栄養を摂取するのが難しかったが、本発明により、カルシウムを本品10ｇ中に200ミリグラム以上含有する栄養豊富な食品を提供する事が出来た。【特許請求の範囲】
【請求項１】
小麦から摘出されたグルテンに、小麦粉、水、重曹、カルシウム5%以上を加え、練り上げた事を特徴とするカルシウム入り麩。
【発明の詳細な説明】
【技術分野】
【０００１】
本発明は、カルシウムを配合する事により栄養強化された麩に関するものである。
【発明の開示】
【発明が解決しようとする課題】
【０００２】
古くから日本人に親しまれている麩は、消化性に優れ、貴重な蛋白源として珍重されてきたが、昨今、日本人の食生活も多様になり欧米食（肉類）を多く食すようになった。
その為、麩から蛋白質を取る必要性が年々低下している。そこで蛋白質以外にカルシウム等を含んだ手軽に食せる麩が求められていた。
尚、厚生労働省による日本人カルシウム摂取量（昭和21年〜）推移を調べると、一日に必要な量（600mg）を超えたことは無く、その理由として、カルシウムを多く含むとされる牛乳から摂取しようとすれば、600ml以上飲まなければならず、腸が弱く大量に飲む事が出来ない人や、小魚から摂取しようとしても魚が苦手で取れない人、魚を調理するのが面倒な為に、食卓に上がらない等、様々な理由があり、カルシウム不足による骨粗鬆症患者は現在、100万人を超えているとされている。
【発明の効果】
【０００３】
麩からカルシウムを摂取するのが難しかったが、本発明により従来から含有する良質な蛋白質にカルシウムを加える事が出来た。本品10ｇ中にカルシウム200ｍｌ以上を含有する事により、人体に必要なカルシウム量の3分の1以上が摂取出来る。その為、今まで牛乳、チーズ、魚等カルシウムが多く含むとされる食品が苦手だった人でも、従来の麩の味覚を損なわずに、腸にやさしい、消化性に優れた栄養豊富な食品を提供する事が出来た。
【実施例１】
【０００４】
グルテン3、5キロ、小麦粉6キロ、カルシウム500グラム、水3リットル、重曹10グラムを攪拌機にて25分間混練した後、約25分間熟成した生地を1キロずつ小分けにし、練り機に入れ、10分間混練した後、約30分間再度熟成させ、1キロの生地を10等分にし、この生地を直径約1メートルに延し、焼成機に入れ、200〜160度に加熱して出来上がったカルシウム入り麩を約1センチ5ミリずつ切断した。
【実施例２】
【０００５】
グルテン3キロ、小麦粉6、5キロ、カルシウム500グラム、水3リットル、重曹10グラムを攪拌機にて25分間混練した後、約25分間熟成した生地を1キロずつ小分けにし、練り機に入れ、10分間混練した後、約30分間再度熟成させ、1キロの生地を10等分にし、この生地を直径約1メートルに延し、焼成機に入れ、200〜160度に加熱して出来上がったカルシウム入り麩を約1センチ5ミリずつ切断した。
(57)【要約】    【課題】  迅速かつ衛生的に魚を干すことができ、カラス等の被害を受けにくい魚干し機を提供することである。    【解決手段】  リング状部分で形成され、干そうとする魚を吊り下げるための複数のクリップ（１４）が取り付けられた本体（１２）と、本体を回転させるためのモータ（１８）とを備え、モータの回転軸（１８ａ）に取り付けられたチェーン（２０）を介して、本体がモータに回転可能に取り付けられており、本体にカラス避け用のナイロン糸（１６）が取り付けられており、クリップに魚を吊り下げ、モータを作動させて本体を回転させることにより、魚を乾燥させるように構成されていることを特徴とする。【選択図】  図１
2005192470.tif 000002
【特許請求の範囲】
【請求項１】
リング状部分で形成され、干そうとする魚を吊り下げるための複数のクリップが取り付けられた本体と、
前記本体を回転させるためのモータとを備え、
前記モータの回転軸に取り付けられたチェーンを介して、前記本体が前記モータに回転可能に取り付けられており、
前記本体にカラス避け用のナイロン糸が取り付けられており、
前記クリップに魚を吊り下げ、前記モータを作動させて前記本体を４０回転／分〜６０回転／分で回転させることにより、魚を乾燥させるように構成されていることを特徴とする魚干し機。
【発明の詳細な説明】
【技術分野】
【０００１】
本発明は一般に、魚干し機に関する。より詳細には、本発明は、迅速かつ衛生的に魚を干すことができる魚干し機に関する。
【背景技術】
【０００２】
従来の典型的な魚干し機は、図３に示されるように、複数の網を層状に組み立てることによって構成されており、干そうとする魚を網の上に載せて、魚干し機をロープ等に吊るすことによって魚干しを行っていた。
【発明の開示】
【発明が解決しようとする課題】
【０００３】
しかしながら、上述のような魚干し機では、網の目を粗くしすぎると、魚にハエがたかり易くなる一方、網の目を細かくしすぎると、魚に風が当たりにくくなり、魚が干せないという不都合があった。このように、従来の魚干し機では、迅速かつ衛生的に魚を干すことが容易ではなかった。また、従来の魚干し機では、カラス等の被害を受けることがあった。
【０００４】
したがって、本発明は、迅速かつ衛生的に魚を干すことができ、カラス等の被害を受けにくい魚干し機を提供することを目的とする。
【課題を解決するための手段】
【０００５】
本願請求項１に記載の魚干し機は、リング状部分で形成され、干そうとする魚を吊り下げるための複数のクリップが取り付けられた本体と、前記本体を回転させるためのモータとを備え、前記モータの回転軸に取り付けられたチェーンを介して、前記本体が前記モータに回転可能に取り付けられており、前記本体にカラス避け用のナイロン糸が取り付けられており、前記クリップに魚を吊り下げ、前記モータを作動させて４０回転／分〜６０回転／分で前記本体を回転させることにより、魚を乾燥させるように構成されていることを特徴とするものである。
【発明の効果】
【０００６】
本発明によれば、魚を２時間程度の短時間で迅速に且つハエがたからないように衛生的に干すことができ、しかもカラス等の被害を受けにくい魚干し機が得られる。
【発明を実施するための最良の形態】
【０００７】
次に、図面を参照して、本発明の好ましい実施の形態に係る魚干し機について詳細に説明する。図１は、本発明の好ましい実施の形態に係る魚干し機を示した正面図、図２は、図１の魚干し機を用いて魚を干している状態を示した斜視図である。図１及び図２において、全体として参照符合１０で示される本発明の好ましい実施の形態に係る魚干し機は、本体１２を備えている。
【０００８】
本体１２は、図２に示されるように、大径の外側リング状部分１２ａと、小径の内側リング状部分１２ｂと、外側リング状部分１２ａと内側リング状部分１２ｂとを連結するための連結部分１２ｃとを有している。外側リング状部分１２ａ、内側リング状部分１２ｂ、及び連結部分１２ｃは好ましくは、プラスチック等の合成樹脂材料で形成されている。外側リング状部分１２ａと内側リング状部分１２ｂには、干そうとする魚を吊るすためのクリップ１４がそれぞれ複数個取り付けられている。クリップ１４は、例えば洗濯バサミと同一の構造を持つものでよく、洗濯バサミ自体を用いてもよい。
【０００９】
本体１２には、カラス避け用のナイロン糸１６が吊り下げられている。これは、カラスが、いわゆる“光り物”を嫌う習性があるという経験的事実を利用したものである。なお、図２では、カラス避け用のナイロン糸１６が外側リング状部分１２ａに取り付けられた状態で示されているが、ナイロン糸１６を内側リング状部分１２ｂに取り付けてもよい。
【００１０】
魚干し機１０は又、モータ１８を備えており、モータ１８と本体１２は、モータ１８の回転軸１８ａに取り付けられたチェーン２０を介して互いに連結されている。これにより、モータ１８を作動させると、本体１２（従って、クリップ１４に保持された魚）が回転するようになっている。なお、モータ１８の上部には、魚干し機１０をロープや物干し竿２２等に掛けるためのフック１８ｂが設置されている。
【００１１】
以上のように構成された魚干し機１０の使用例について説明する。まず、２、３枚におろした魚に塩をふり、水切りザル等で３０分程度水切りする。このようにして水切りした魚を、物干し竿に掛けた魚干し機１０のクリップ１４に左右対称に重量が加わるように吊り下げる。次いで、モータ１８を作動させると、本体１２が回転し、これに伴い魚も回転して、２時間程度で食べごろになる程度に乾燥する。その際、本体１２にナイロン糸１６が取り付けられているので、カラス等の被害を心配をする必要がない。
【００１２】
なお、モータ１８の回転速度は好ましくは、４０回転／分〜６０回転／分（最も好ましくは、５０回転／分）程度である。回転速度がこれよりも遅いと魚にハエがたかる可能性があり、これよりも速いと魚の水分が飛散して周囲を汚してしまうからである。
【００１３】
本発明は、以上の発明の実施の形態に限定されることなく、特許請求の範囲に記載された発明の範囲内で、種々の変更が可能であり、それらも本発明の範囲内に包含されるものであることはいうまでもない。
【００１４】
例えば、前記実施の形態においては、本体のリング状部分が内側と外側の二重構造になっているが、リング状部分を他の形態（例えば、外側部分のみ、或いは、三重構造等）にしてもよい。
【図面の簡単な説明】
【００１５】
【図１】本発明の好ましい実施の形態に係る魚干し機を示した正面図である。
【図２】図１の魚干し機を用いて魚を干している状態を示した斜視図である。
【図３】従来の典型的な魚干し機を示した図である。
【符号の説明】
【００１６】
１０  魚干し機
１２  本体
１４  クリップ
１６  ナイロン糸
１８  モータ
２０  チェーン
【図１】
2005192470.tif 000003
【図２】
2005192470.tif 000004
【図３】
2005192470.tif 000005
(57)【要約】【課題】通常の羽毛ふとんや真綿ふとんは極めの細かい生地に覆われ通気性が損なわれる素材で仕立てられている。また羽毛ふとんの生地にはダウンプルーフ加工などが基本的に施されており充填物の本来の素材感が閉じ込められている。【解決手段】本発明に係る掛蒲団は、表地及び裏地からなる袋状の生地に中わた、羽毛・真綿・獣毛・指定外繊維・化学繊維の充填物を充填した掛蒲団であって、該掛蒲団の生地はニット素材（編み物）で形成され、編み物は通気性が良く伸縮性に富み肌触りや風合いが良い素材で形成されている。【選択図】 図1
2005192703.tif 000002
【特許請求の範囲】
【請求項１】
内部に中わたを有する掛け蒲団の側生地は両面もしくは片面をニット素材（編み物）で
形成した事を特徴とする掛蒲団。
【請求項２】
前記ニット素材としてシルクを含む素材で形成した事を特徴とする請求項1記載の掛蒲団。
【発明の詳細な説明】
【技術分野】
【０００１】
本発明は袋状の掛け布団生地に内に充填する充填物の特性を十分に生かすため、従来の蒲団よりも通気という事項を念頭においた。特に真綿等の吸湿に優れた素材を中わたに使用している掛け蒲団には好適な技術である。
【背景技術】
【０００２】
従来、特に羽毛・獣毛・真綿などを中わたに用いている蒲団の場合、中わたの吹出し防止の為にダウンプルーフ加工（羽毛が側生地から吹出さない様にする為の生地の加工。日本羽毛協会では“1平方センチメートル当125hpの圧力をかけて、1秒間に2ｃｃ以上の通気度が羽毛を吹出さない”をめどとしている。）やウールプルーフ加工といった目潰しの加工を施した生地を蒲団の側生地として用いている。
したがって生地の目をふさいでいる為、通気性はメーカーが唱えているほど良くない。
例えば羽毛蒲団は外気と内気の熱の遮断によって暖かくなる。
しかしダウンプルーフ加工を施した羽毛蒲団はダウンプルーフ加工を施していない羽毛蒲団に比べ、前記で述べたように通気性が良くない。したがってダウンプルーフ加工を施した羽毛蒲団の暖かさとは、寝床内気象（温度33℃±1℃・湿度50％±5℃が良眠を得るには好ましい気象環境）のが悪く、ビニールを掛けた時の様な蒸れ間（最初は暖かいが湿気がこもり、次第に蒸れ温かくなる）を伴った暖かさといっても過言ではない。
獣毛・真綿も多少の違いはあるが、ダウンプルーフ加工やウールプルーフ加工を使っている為、中わた、・羽毛・真綿・棉綿・獣毛等の素材の特性（吸湿性・発散性）を引き出せていない。
【発明の開示】
【発明が解決しようとする課題】
【０００３】
蒲団に求められているものの一つに、蒲団に人が寝ている時の蒲団内部の状態「寝床内気象」（温度33℃±1℃・湿度50％±5℃が良眠を得るには好ましい気象環境）がいかに適温であるか、そしてもう一つは、いかに人体が睡眠中に発汗する汗を吸収し、発散するかが上げられる。本発明は寝床内気象の湿度を調整する(睡眠中に蒲団内の湿度のバランスを保つ)蒲団を提供する事にある。
【課題を解決するための手段】
【０００４】
本発明に係る蒲団は、表地及び裏地もしくは一方からなる袋状の生地に中わた、羽毛・真綿・棉綿・獣毛・指定外繊維・化学繊維の充填物を充填した蒲団であって、掛け蒲団の生地は通気性が良く伸縮性に富み肌触りや風合いが良い、ニット素材（編み物）で形成されている蒲団とする。
【発明の効果】
【０００５】
本発明は蒲団に求められているものの中に保湿、吸湿、発散、ドレープ性（体への密着度）
等が有るが、その中でも吸湿、発散とドレープ性に主旨をおいた。
蒲団の中わたをニット素材の側生地で包む事により、従来の吹き出し防止加工等をしている側生地よりも格段に通気性が向上した。
したがって、中わたの素材が持つ本来の吸湿、発散性という特徴が十分に発揮できる蒲団になっている。
その結果［背景技術］で述べたようにビニールを掛けた時の様な暖かさ（最初は暖かいが湿気が外へ逃げず、次第に蒸れ温かくなる）から解放される。
蒸れ感とは、蒲団内部の湿度である。湿度を低く保てると次のような効果がある．
例えばすべての人がこれに準ずるとは限らないが、ある喘息の人にこの蒲団をあてはめてみる。睡眠時の喘息の発作原因の一つに、蒲団内部の湿度がある。それは蒲団内部の湿度が上昇し皮膚呼吸がしずらくなる。その結果、鼻からの呼吸だけでは足りず、口からも呼吸することになり口からの呼吸は乾いた冷たいほこりの混じった空気を肺に入れるために肺が反応を起こして咳がでる。
したがって、これを防ぐには、蒲団内部の湿度を常に低く保つ必要がある。
このように、本発明は湿度を抑えることにより改善できる、喘息、リュウマチ、関節炎、床ズレ予防などへの医薬的効果も期待できる。
【発明を実施するための最良の形態】
【０００６】
例えば蒲団の側生地にシルクニット素材（編み物）を使用し、中わたには手引き真綿（蚕の繭を重曹に入れた湯でほぐし、それを乾かし更に人の手で伸ばしたもの）を使用した蒲団がある。
シルクの特性の一つに吸湿速度が上げられる。リネンや綿と比較して、素早く湿気を吸う事は布団の側生地としては最も適してる素材といえる。(図1参照)
また、シルクは綿、麻、ウールなどの様に短繊維ではなく、長繊維（絹糸は約1500M）の為、毛羽が少ない。したがって蒲団の側生地にシルクニット素材（編み物）を使用し、なかわたには手引き真綿を使用した蒲団はホコリが少ない。
更に、シルクは柔らかい繊維の為、リネンや綿と比較して、ドレープ性（体へのなじみ）にも優れ、ドレープ性を活かすために蒲団表面にキルトを施さない。(図2参照)
蒲団の温かさを人体で感じるには、体と蒲団の隙間の空気も暖まらなくては感じる事が出来ない。体と蒲団の隙間が大きい蒲団では、人体が暖かさを感じるのは遅い。
よって、蒲団の側生地にシルクニット素材（編み物）を使用し、中わたには手引き真綿を使用した蒲団(図3参照)はドレープ性（体へのなじみ）が非常に良く、人体が温かさを感じるのが早い。
ゆえに、この素材の組み合わせがこの発明の最良の形態といえる。
【図面の簡単な説明】
【０００７】
以下  本発明の実施例を図面の様に説明する。
【図１】天然繊維の吸湿速度表
【図２】掛蒲団の全体図
【図３】掛蒲団の断面図
【符号の説明】
【０００８】
１  ニット生地
２  チイ
３  中わた
【図１】
2005192703.tif 000003
【図２】
2005192703.tif 000004
【図３】
2005192703.tif 000005
(57)【要約】【課題】景品掴み取り用クレ−ンと、クレーン直下を撮影するクレーン搭載のＣＣＤカメラと、ＣＣＤカメラが捉えた映像を映し出すモニター用ＴＶ装置とを備える景品獲得ゲーム機において、プレイヤーがクレーンの位置を容易に制御することができる構成を提案すること。【解決手段】ＣＣＤカメラ（９）と、モニタ−用小型ＴＶ装置（１０）とを、共にクレーン（７）に搭載して一体的に移動可能とし、プレイヤーがクレーンとモニタ−画面とを同時に見ながらクレ−ンを操作できるようにする。【選択図】図１
2005192708.tif 000002
【特許請求の範囲】
【請求項１】
景品掴み取り用クレ−ンを備える景品獲得ゲーム機であって、クレーン直下の景品の状態を撮影するＣＣＤカメラと、該ＣＣＤカメラが捉えた映像を映し出すモニタ−用小型ＴＶ装置とを共にクレーンに搭載して、一体的に移動可能とし、プレイヤーがクレーンとモニタ−画面とを同時に見ながらクレ−ンを操作できることを特徴とする前記ゲーム機。
【発明の詳細な説明】
【技術分野】
【０００１】
本発明は、景品掴み取り用クレーンを操作することにより景品をプレイヤーに獲得させるゲーム機に関する。
【背景技術】
【０００２】
景品獲得ゲーム機は、どんな景品が出てくるかは運次第という抽選機に近い幼児向けの景品販売機から、プレイヤーが欲しい景品を狙って積極的に景品獲得行動をするやや年長の児童向けのゲーム機まで、各種のものが存在する。その中で、景品掴み取り用クレ−ンを備えたゲーム機が特許文献１に開示されている。
【０００３】
【特許文献１】特開平８−２９９５８６号公報
【０００４】
上記のゲーム機は、クレ−ンと、クレーン直下を撮影するクレーン搭載のＣＣＤカメラと、ＣＣＤカメラが捉えた映像を映し出すモニター用ＴＶ装置を備える。モニター用ＴＶ装置はゲーム機外に設置される。プレイヤーは、クレーンと目的とする景品との相対的位置関係を把握するために、ゲーム機内のクレーンの動きと機外のモニター画面の双方を見較べながら、操作ボタンを押してクレーンを動かすことになる。
【０００５】
このゲーム機を試作して実際に操作を行ってみると、クレーンの位置に関して前後（手前又は奥）、左右、上下の３方向のうち、前後方向の動きの制御が最も難しい。これは、機外のケース前面からクレーンの動きを観察する場合、前後方向へのクレーンの動きは、左右又は上下方向の動きに較べて視角変化の割合が小さく、比較的認識しにくいためと考えらえる。この認識しにくさを克服するには、モニター画面を参照してクレーンの前後方向への動きの情報を補うことが必要であるが、そのためには、ゲーム機内のクレーンと機外のモニター画面の間で頻繁に視線を往復させなければならない。
【発明の開示】
【発明が解決しようとする課題】
【０００６】
本発明が解決しようとする課題は、景品掴み取り用クレ−ンと、クレーン直下を撮影するクレーン搭載のＣＣＤカメラと、ＣＣＤカメラが捉えた映像を映し出すモニター用ＴＶ装置とを備える景品獲得ゲーム機において、プレイヤーがクレーンの位置を容易に制御することができる構成を提案することである。
【課題を解決するための手段】
【０００７】
上記の課題は、ＣＣＤカメラとモニタ−用小型ＴＶ装置とを、共にクレーンに搭載して一体的に移動可能にし、プレイヤーがクレーンとモニタ−画面とを同時に見ながらクレ−ンを操作できるような構成を採用することで解決することができる。この課題解決手段は請求項１に対応する。
【発明の効果】
【０００８】
本発明に係る上記構成により、プレイヤーは視線をほとんど動かすことなしに、クレーンとモニタ−画面とを同時に見ることができるので、特にクレーンの前後方向への動きを容易に認識することができ、したがって、クレーンの位置を容易に制御することができる。
【発明を実施するための最良の形態】
【０００９】
本発明を実施するための最良の形態を、実施例により説明する。
【実施例１】
【００１０】
図１は、本実施例に係る景品獲得ゲーム機の構成を説明する概念図である。図中の参照符号１はゲーム機、２はゲーム機下部筐体、３はゲーム機上部透明ケース、４は景品落下口、５は景品取出口、６はクレーン操作パネル、７はクレーン、８はクレーンの腕、９はＣＣＤカメラ、１０はモニター用ＴＶ装置、１１は景品を表す。
【００１１】
ゲーム機１は縦長の直方体をなし、その下部は不透明な板材で形成された筐体２、筐体２の上面は景品が置かれるゲームフィールドになる。ゲームフィールドの一角にクレーン７で掴んだ景品を落とす景品落下口４が設けられ、落とした景品は筐体２の前面に設けた景品取出口５から機外に取り出される。筐体２の前面にはクレーン操作パネル６も形成される。ゲーム機１の上部は透明ケース３（背面と天井は不透明な板で構成）で覆われ、ケース３の天井からクレーン７が垂下する。クレーン７は、ケース３の天井に配置された移動機構（図示せず）により前後、左右方向に、また、繰出し軸の軸長を変化させて上下方向に動かすことができる。クレーンの腕８はその先端が景品１１に触れたとき自動的に閉じ、クレーン７が景品落下口４の真上に到達したとき自動的に開くように制御される。クレーン７にはＣＣＤカメラ９、モニター用小型（５インチ程度）ＴＶ装置１０が搭載され、ＣＣＤカメラ９はその真下を撮影する。
【００１２】
本ゲーム機１の寸法の一例を示せば、奥行き９００、横幅９６０、高さ１９００ｍｍで、下部筐体２の高さは８００ｍｍ、クレーン７の可動範囲は、例えば前後、左右に各５００ｍｍ、上下に４００ｍｍ程度である。
【産業上の利用可能性】
【００１３】
本発明は景品獲得ゲーム機に関するものであるから、ゲーム機本体及び付属品、並びに景品等を製造する各種製造業、さらにはゲーム機を大衆に使わせる娯楽産業等の発達に寄与することができる。
【図面の簡単な説明】
【００１４】
【図１】本発明の一実施例に係る景品獲得ゲーム機の構成を説明する概念図である。
【図２】実施例におけるクレーンの詳細図である。
【符号の説明】
【００１５】
１  景品獲得ゲーム機
２  ゲーム機の下部筐体
３  ゲーム機の上部透明ケース
４  景品落下口
５  景品取出口
６  クレーン操作パネル
７  クレーン
８  クレーンの腕
９  ＣＣＤカメラ
１０  モニター用ＴＶ装置
１１  景品
【図１】
2005192708.tif 000003
【図２】
2005192708.tif 000004
(57)【要約】【課題】  転がし体が紛失する心配がなく且つ手に持ったままで転がし当てあうなどのゲーム等ができる転がし体揃え遊具を提供することを目的としている。【解決手段】  赤色転がり体２、緑色転がり体３、黄色転がり体４、黒い色転がり体５と、これら転がり体を収納してなる該各転がり体を転がり自在に閉じ込め且つ外から該各転がり体の並び状態が見える覗き窓６を有した円形形態の容器体７と、各転がり体が容器体７の底部の所定の一線上に転がり集るように形成されたテーバー底部８と、このテーパー底部８の中央部位に設けられて転がり体並べ部９とからなっている。【選択図】  図１
2005192796.tif 000002
【特許請求の範囲】
【請求項１】
第１の転がり体と、
この第１の転がり体とは色の違う第２の転がり体と、
前記第１の転がり体および前記第２の転がり体とは色の違う第３の転がり体と、
前記第１の転がり体、前記第２の転がり体および第３の転がり体を収納してなる該各転がり体を転がり自在に閉じ込め且つ外から該各転がり体の並び状態が見える形態の容器体と、
前記各転がり体が前記容器体の所定の一線上に転がり集るように形成されたテーバー底部と、
このテーパー底部の前記各転がり体が転がり集る前記所定の一線上である該各転がり体が並び入る転がり体並べ部とからなり、
前記容器体を手に持って振り、前記各転がり体を転がし移動させて、低部を下にして振り動作を停止させて、前記転がし体並べ溝に入り並んだ前記各転がし体の並んだ色順を当てるなどして遊ぶことを特徴とする転がし体揃え遊具。
【請求項２】
転がし体が球体の複数箇所に平部分を形成してなるものや６面体や１２面体などの多角体であって、平部分に数字や色や模様などを表記してなるものであることを特徴とする請求項１記載の転がし体揃え遊具。  
【発明の詳細な説明】
【技術分野】
【０００１】
本発明は、玉などを揃えて遊ぶ転がり体揃え遊具に関する。
【背景技術】
【０００２】
従来、転がし体を転がして遊ぶ遊具としてサイコロがあった。
【０００３】
上記従来技術は、狭いところで転がしにくく、サイコロが転がりどこかに行ってしまうなどの欠点があった。
【発明の開示】
【発明が解決しようとする課題】
【０００４】
本発明は以上のような従来技術の欠点に鑑み、転がし体が紛失する心配がなく且つ手に持ったままで転がし当てあうなどのゲーム等ができる転がし体揃え遊具を提供することを目的としている。
【課題を解決するための手段】
【０００５】
上記目的を達成するために本発明は第１の転がり体と、この第１の転がり体とは色の違う第２の転がり体と、前記第１の転がり体および前記第２の転がり体とは色の違う第３の転がり体と、前記第１の転がり体、前記第２の転がり体および第３の転がり体を収納してなる該各転がり体を転がり自在に閉じ込め且つ外から該各転がり体の並び状態が見える形態の容器体と、前記各転がり体が前記容器体の所定の一線上に転がり集るように形成されたテーバー底部と、このテーパー底部の前記各転がり体が転がり集る前記所定の一線上である該各転がり体が並び入る転がり体並べ部とからなり、前記容器体を手に持って振り、前記各転がり体を転がし移動させて、低部を下にして振り動作を停止させて、前記転がし体並べ溝に入り並んだ前記各転がし体の並んだ色順を当てるなどして遊ぶ転がし体揃え遊具を構成している。
を構成している。
【発明の効果】
【０００６】
以上の説明から明らかなように本発明にあっては、転がし体が紛失する心配がなく且つ手に持ったままで転がし当てあうなどのゲーム等が手軽にどこでもできるという効果が得られる。
【発明を実施するための最良の形態】
【０００７】
図１および図２に示す本発明を実施するための最良の第１の実施の形態において１は転がし体揃え遊具であって、この転がし体揃え遊具１はパチンコ球程度の大きさのからなる赤色転がり体２、緑色転がり体３、黄色転がり体４、黒い色転がり体５と、これら転がり体を収納してなる該各転がり体を転がり自在に閉じ込め且つ外から該各転がり体の並び状態が見える覗き窓６を有した円形形態の容器体７と、各転がり体が容器体７の底部の所定の一線上に転がり集るように形成されたテーバー底部８と、このテーパー底部８の中央部位に設けられた溝からなる転がり体並べ部９とからなり、容器体７を手に持って振り、各転がり体を転がし移動させて、低部を下にして振り動作を停止させて、転がし体並べ溝９に入り並んだ各転がし体の並んだ色順を当てるなどして遊ぶ。
【０００８】
転がり体並べ部はテーバー底部の谷底部位などでもよい。
また転がり体並べ部の端方には読み開始印をつけておくのがよい。
容器体は四角形態や楕円形態や八角形態や球体など多様な形態があり、全体や蓋部分が透明プラスチックで形成されたものもよい。
また、転がし体が球体の複数箇所に平部分を形成してなるものや６面体や１２面体などの多角体であって、平部分に数字や色や模様などを表記してなるものもよい。
【産業上の利用可能性】
【０００９】
本発明は玩具を製造する産業で利用される。
【図面の簡単な説明】
【００１０】
【図１】本発明の第１の実施の形態を示す斜視図。
【図２】図１の中央縦断面図。
【符号の説明】
【００１１】
１：転がし体揃え遊具
２：赤色転がり体
３：緑色転がり体
４：黄色転がり体
５：黒い色転がり体
６：覗き窓
７：容器体
８：テーパー底部
９：転がり体並べ部
【図１】
2005192796.tif 000003
【図２】
2005192796.tif 000004
(57)【要約】【課題】今までのヘアブラシは、ブラシの先が固定された状態でゴミなどを取っていたため、ゴミなどが取り難く、非常に時間もかかっていた。【解決手段】通常のブラシの長さからブラシの先を短くすることでゴミなどを取りやすくし、さらにゴミ取りマットを利用することで、ゴミなどを一掃できる。それを図面で説明すれば、図１―１でロックを解除し、図１―２を下へ下げる。ある一定の位置で止まり、図２の状態になりゴミ(髪の毛)などが取りやすくなる。さらに図２―４でロックを解除し、図２―５のマットを取り外すことで絡み付いていたゴミなどを一掃できる。【選択図】図２
2005192737.tif 000002
【特許請求の範囲】
【請求項１】
通常のヘアブラシの長さから先を短くすることで、ゴミなどを取りやすくできるようにしたヘアブラシセット。
【請求項２】
さらに、ゴミ取りマットを利用してゴミなどを一掃するヘアブラシセット。
【発明の詳細な説明】
【技術分野】
【０００１】
本発明は、ゴミなどを一掃できるヘアブラシに関するものである。
【背景技術】
【０００２】
従来のヘアブラシは、ブラシの先が固定した状態でゴミなどを取除いていたので、ゴミなどが取り難く、手間もかかっていた。
【０００３】
しかし、本発明は、通常のブラシの長さからブラシの先を短くすることでゴミなどを取りやすくし、さらにゴミ取りマットを利用することで、ゴミなどを一掃できる。
【０００４】
このようにすれば、今までゴミなどが取り難く、手間もかかっていたのが解消でき、さらにブラシの使用後ゴミ取りマットを外し、洗浄して何度も使用できるので便利である。
【特許文献１】特開２００４−００００００号公報
【非特許文献１】北山千加志著  「ゴミ取りマット付ヘアブラシ」特許出版  ２００４年
【発明の開示】
【発明が解決しようとする課題】
【０００５】
従来のヘアブラシは、ブラシの先が固定された状態でゴミなどを取っていたため、ゴミなどが取り難く、非常に時間もかかっていた。
【課題を解決するための手段】
【０００６】
本発明は、通常のブラシの長さからブラシの先を短くすることでゴミなどを取りやすくし、さらにゴミ取りマットを利用することで、ゴミなどを一掃できる。それを図面で説明すれば、図１―１でロックを外し、図１―２を下へ下げる。ある一定の位置で止まり、図２の状態になりゴミ(髪の毛)などが取りやすくなる。さらに図２―４でロックを外し、図２―５のマットを取り外すことで絡み付いていたゴミなどを一掃できる。
【発明の効果】
【０００７】
今までのヘアブラシに比べれば、はるかにゴミなどを取りやすく、清掃する時間も短くてすみ。さらにマットを取り替え
たり、洗浄したりすることができるため、常に清潔である。
【発明を実施するための最良の形態】
【０００８】
本発明は、ゴミなどを取りやすく、手間のかからないようにする目的をブラシの先を短くすることと、マットを使用することで可能とした。
【産業上の利用可能性】
【０００９】
最近では、犬・猫などの動物を飼う家庭が多いため、動物の毛の手入れにも最適である。
【図面の簡単な説明】
【００１０】
【図１】ヘアブラシの断面図(通常時)
【図２】ヘアブラシの断面図(清掃時)
【図３】ヘアブラシの平面図
【符号の説明】
【００１１】
１    背面ブラシ解除ボタン
２    背面ブラシ
３    本体ピンホール
４    マット解除ボタン
５    ゴミ取りマット
【図１】
2005192737.tif 000003
【図２】
2005192737.tif 000004
【図３】
2005192737.tif 000005
(57)【要約】【課題】 いざと言う時には直に手に取ることが出来るような避妊具とする。【解決手段】 身体に対して接着・剥離が可能な接着部が設けられている避妊具とした。例えば巻いて畳んだコンドーム１の装着口１０の直ぐ奥側に粘着剤２を塗布して成るものとした。また例えばコンドーム１を包んで成る袋３の、コンドーム１の裏側となる面に粘着剤４を塗布し、その上に剥離紙４０を接着させて成るものとした。粘着剤４及び剥離紙４０は装着方向の明解なるマーカー５でもある。【選択図】 図１
2005192775.tif 000002
【特許請求の範囲】
【請求項１】
身体等に対する接着・剥離が可能な接着部が設けられている避妊具。
【請求項２】
接着部を装着方向のマーカーとした請求項１に記載の避妊具。
【発明の詳細な説明】
【技術分野】
【０００１】
この発明は、身体等に接着することが出来る避妊具に関する。
【背景技術】
【０００２】
避妊具はいざと言う時に、準備していたにもかかわらず所在が分からなくなり慌てることがある。特に暗闇ではなおさらである。このため特開平１０−２４３９５６号のように最初から着用しておこうと言う発明もある。
【特許文献１】特開平１０−２４３９５６号公報
【発明の開示】
【発明が解決しようとする課題】
【０００３】
この発明は何時でも直に手に取ることが出来るような避妊具を提供する。
【課題を解決するための手段】
【０００４】
身体やパンツやシーツに対する接着・剥離が可能な接着部を設けて成る避妊具とした。これで在所が直に分かるようになる。なお接着部をマーカーとすれば、その装着方向がはっきりと知覚されて迷うことがない。
【発明の効果】
【０００５】
この避妊具を用いればその在所が直に分かるという利点がある。
【発明を実施するための最良の形態】
【０００６】
コンドームに、身体に接着し、剥離し得る粘着部を設けた。
【実施例１】
【０００７】
図１に示すように、巻いて畳んだコンドーム１の装着口１０の直ぐ奥側に粘着剤２を塗布して成る。コンドーム１を粘着剤２で尻部等の手の届く範囲に粘着させておけば、探すことなく直ちに使用することが出来る。粘着箇所から剥離して局部に装着するが、この際に表裏を間違うこともなく装着が素早く行える。
【０００８】
なお粘着剤２が局部に粘着するようにすれば脱落防止の一助ともなる。
【実施例２】
【０００９】
図２に示すように、コンドーム１を包んで成る袋３（広義のコンドーム）の、コンドーム１の裏側となる面に粘着剤４を塗布し、その上に剥離紙４０を接着させて成る。粘着剤４及び剥離紙４０は装着方向の明解なるマーカー５でもある。剥離紙４０を剥がして袋３を粘着剤４でパンツ等の手の届く範囲に接着しておけば、必要な時に直ちに使用することが出来る。
【００１０】
なお袋３の角が皮膚に当たらないように、角を落としてアールを付けておいてもよい。袋３をハートやリンゴ等のように丸みを帯びた形状としてもよい。袋の外側を和紙などの肌触りの良いものにしてもよい。なお袋３に切り裂き案内部を設けて、剥離紙４０をその端緒とすることもできる。なお袋３の代わりに例えば円筒形の容器なども利用可能である。
【図面の簡単な説明】
【００１１】
【図１】実施例１の実施方法を示した説明図である。
【図２】実施例２の実施方法を示した説明図である。
【符号の説明】
【００１２】
１    コンドーム
１０  装着口
２    粘着剤
３    袋
４    粘着剤
４０  剥離紙
５    マーカー
【図１】
2005192775.tif 000003
【図２】
2005192775.tif 000004
(57)【要約】【課題】従来のピーナッツバターにあった弱点を天然物の食品素材や機能性食品素材を添加することにより解決せんとするものである。栄養価や嗜好性の向上、カラフルな美観で食欲増進、その結果としての用途、消費拡大を目指すものである。【解決手段】食品素材が本来持っている属性を低温乾燥、凍結乾燥、無加温微粉化等の方法で最大限に生かしつつ既存のピーナッツバターに添加、混合することにより上記の課題は解決した。【選択図】            図３
2005192545.tif 000002
【特許請求の範囲】
【請求項１】
加熱処理された落花生をすり潰し機ですり潰して、ピーナッツバターを作る工程又はピーナッツバターを攪拌、混合する工程に、各種食品素材の粉末やペーストの単品又は組合わせを添加、混合、練り上げて作ったピーナッツバターミックスである。
【請求項２】
上述「請求項１」の製造工程に於いてビタミン類、ミネラル類、ハーブ類、生薬類の単品又は組合わせを添加、混合練り上げて機能性を持たせたピーナッツバターミックスである。
【発明の詳細な説明】
【技術分野】
【０００１】本発明はピーナッツバターの製造時に色々な食品素材や機能性食品原料の粉末又はペーストを添加、混合して作るピーナッツバターミックスに関するものである。
【背景技術】
【０００２】ピーナッツバターは本来落花生を培煎して脱皮した後、すり潰して必要に応じ塩、砂糖の添加で味付けをして作られている。【０００３】ピーナッツバターに添加する素材のうち本来固形物の場合は、その風味、色彩、効能等を保持する為に発熱しない状況下で微粉末化、ペースト化が望ましく、好ましくは低温乾燥、凍結乾燥方式が採用される。
【発明の開示】
【発明が解決しようとする課題】
【０００４】従来のピーナッツバターにあった弱点を補強するものである。ピーナッツバター本来の栄養価に機能性食品としての効能を加え、且つ風味美観の向上で嗜好性を高めるものである。
【課題を解決するための手段】
【０００５】添加する食品素材は油脂に対する親和性向上の為に含水率を極力低くする様にした。好ましくは５％未満が望ましい。添加する食品素材はピーナッツバターの油脂分で皮膜され、それらの風味、色彩、効能等が保持される。この為に出来るだけ加工時の温度上昇を避けながら粉末化することが望ましい。
【発明の効果】
【０００６】添加する食品素材で栄養価と嗜好性が向上し、用途が広がった。抗酸化力があるココア、コーヒーの添加で年配者に、パセリ、人参の添加で野菜嫌いの子供向、けに、又ハーブの添加で女性に或るいはサラダドレッシングやスープ用にと目的、対象毎にバラエティに富んだ製品が出来た。
【発明を実施するための最良の形態】
【０００７】ピーナッツバターミックスには、色々な添加する食品素材の単品又は組合わせが考えられます。添加する食品素材の含有量や形態はピーナッツバターの用途、目的、消費者の年齢、性別等により異なりますが、目的とする効能や口に入れた時の風味、感触等で決定されます。即ち多数種のピーナッツバターミックスが考える。【０００８】ピーナッツバターに添加する食品素材の変質を防止する為に低温乾燥、凍結乾燥方式をとり、温度上昇しない様に粉末化又はペースト化が最良の方法である。尚、素材の添加するタイミングは落花生のすり潰す工程時でも、又その後のピーナッツバターの混合練り合わせ工程時でも可能である。
【実施例】
【０００９】培煎後脱皮した落花生        ５００ｇ市販の緑茶粉末                ２０ｇビタミンＥ                    １０ｇ上記落花生５００ｇをすり潰し機で大変なめらかになる迄すり潰し、ペースト状にする。それに緑茶粉末２０ｇ及びビタミンＥを加えて、完全に混合する迄混ぜ合わせてビタミンＥ添加の緑茶粉末入りピーナッツバターミックスが完成した。これをトーストに塗って試食したが色彩的にも美しく、美味しく食べられた。又色々なサラダドレッシングに加えると、ピーナッツ風味の美味しいサラダが楽しめる。以上実施例の説明であるが本発明はこれに限定するものでない。
【産業上の利用可能性】
【００１０】ピーナッツバターミックスは上述
【実施例】の様な特徴を有しているので栄養補給、嗜好性向上の観点より、用途拡大、消費増大が期待され、落花生を含む農業の振興及び食品加工産業の振興に寄与するものと期待される。
【図面の簡単な説明】
【００１１】
【図１】焙煎後脱皮された落花生のすり潰し工程
【図２】添加する食品素材の粉砕工程
【図３】ピーナッツバターと食品素材の粉末又はペーストとの混合工程
【符号の説明】
１．培煎後脱皮された落花生                      ２．すり潰し機                      ３．ピーナッツバター                      ４．凍結乾燥された食品素材                      ５．粉砕機                      ６．食品素材の粉末又はペースト                      ７．混合機                      ８．ピーナッツバターミックス
【図１】
2005192545.tif 000003
【図２】
2005192545.tif 000004
【図３】
2005192545.tif 000005